(57)【要約】【課題】  既存のサポーターの任意の位置に貼付式鎮痛シートを取り付ける取付方法を提供する。【解決手段】  鎮痛シート２０をサポーター本体１０に取り付ける取付方法は、一方の面に複数の突起物を備えた鎮痛シート２０を、患部の大きさに合わせて切断する工程と、切断した鎮痛シート２０の他方の面を、サポーター本体１０の内側である皮膚と接触する面に取り付ける工程と、鎮痛シート２０を取り付けたサポーター本体１０を装着者の体に装着する工程とを有する。【選択図】図５
2018086259.tif 000002
【特許請求の範囲】
【請求項１】
一方の面に複数の突起物を備えた鎮痛シートを、患部の大きさに合わせて切断する工程と、
切断した前記鎮痛シートの他方の面を、サポーター本体の内側に取り付ける工程と、
前記鎮痛シートを取り付けた前記サポーター本体を装着する工程と
を有する取付方法。
【請求項２】
体の部位に取り付けるサポーター本体と、
前記サポーター本体における皮膚と接触する面に取り付けられた鎮痛シートと
を有し、
前記鎮痛シートは、
伸縮性を備えたシート材と、
前記シート材の一方の面に設けられ、互いに離間する位置に接着された複数の突起物と、
前記シート材の他方の面に設けられた粘着層と
を有し、
前記鎮痛シートは、前記粘着層により前記サポーター本体に取り付けられている
サポーター。
【請求項３】
伸縮性を備えたシート材と、
前記シート材の一方の面に設けられ、互いに離間する位置に接着された複数の突起物と、
前記シート材の他方の面に設けられた粘着層と
を有し、
サポーターにおける皮膚と接触する面に前記粘着層を粘着し、一体的に構成されている
貼付式鎮痛シート。
【請求項４】
前記突起物は、前記一方の面から突出する高さが４ｍｍ以下の粒状であり、１ｃｍ２当たり９個未満の該突起物が配置されている
請求項３に記載の貼付式鎮痛シート。
【請求項５】
少なくとも表面の一部が滑らかに形成された前記突起物と、布素材で構成された前記シート材とを接着する、ウレタン樹脂を主成分とする接着剤
をさらに有し、
前記接着剤は、前記突起物の投影面積の１／２以上の領域に、該接着剤が塗布されており、
前記突起物は、前記接着剤により前記シート材に接着されている
請求項４に記載の貼付式鎮痛シート。
【請求項６】
伸縮性のある糸を用いて袋状に形成された、足を覆うサポーター本体と、
前記サポーター本体における皮膚と接触する面に取り付けられ、互いに離間する位置に接着された複数の突起物と
を有し、
前記サポーター本体は、伸縮力により、血流やリンパの流れを促進させる程度の圧力で、使用者の足に前記突起物を押圧する
サポーター。
【請求項７】
前記突起物のある位置において、着圧値が１０ｈｐａ未満となる圧力となるよう袋状に形成された、足を覆うサポーター本体と、
前記サポーター本体における皮膚と接触する面に取り付けられ、互いに離間する位置に接着された複数の突起物と
を有するサポーター。
【請求項８】
前記突起物の接着位置は、少なくとも使用者の足底の一部と接触する位置に接着されている
請求項６に記載のサポーター。
【請求項９】
前記サポーター本体は、足先からふくらはぎまでを覆う袋状であり、
前記突起物の接着位置は、使用者の足首の一部、及び、ふくらはぎの一部と接触する位置に接着されている
請求項７に記載のサポーター。
【請求項１０】
前記サポーターには、就寝時に足に装着するサポーターと、日常時に足に装着するサポーターとが含まれ、
前記突起物は、就寝時に足に装着するサポーターにおける当該突起物の大きさより、日常時に足に装着するサポーターにおける当該突起物の大きさの方が大きい
請求項６に記載のサポーター。
【発明の詳細な説明】
【技術分野】
【０００１】
本発明は、取付方法、サポーター、及び、貼付式鎮痛シートに関するものである。
【背景技術】
【０００２】
例えば、特許文献１には、粘着テープの粘着面に粒状物体を保持し、多数の粒状の物体を皮膚に付着するように貼着するように構成した粒状物体を保持する粘着テープが開示されている。
【先行技術文献】
【特許文献】
【０００３】
【特許文献１】特開平１０−９９４０６号公報
【発明の概要】
【発明が解決しようとする課題】
【０００４】
本発明は、既存のサポーターの任意の位置に貼付式鎮痛シートを取り付ける取付方法を提供することを目的とする。
【課題を解決するための手段】
【０００５】
本発明に係る取付方法は、一方の面に複数の突起物を備えた鎮痛シートを、患部の大きさに合わせて切断する工程と、切断した前記鎮痛シートの他方の面を、サポーター本体の内側に取り付ける工程と、前記鎮痛シートを取り付けた前記サポーター本体を装着する工程とを有する。
【０００６】
また、本発明に係るサポーターは、体の部位に取り付けるサポーター本体と、前記サポーター本体における皮膚と接触する面に取り付けられた鎮痛シートとを有し、前記鎮痛シートは、伸縮性を備えたシート材と、前記シート材の一方の面に設けられ、互いに離間する位置に接着された複数の突起物と、前記シート材の他方の面に設けられた粘着層とを有し、前記鎮痛シートは、前記粘着層により前記サポーター本体に取り付けられている。
【０００７】
また、本発明に係る貼付式鎮痛シートは、伸縮性を備えたシート材と、前記シート材の一方の面に設けられ、互いに離間する位置に接着された複数の突起物と、前記シート材の他方の面に設けられた粘着層とを有し、サポーターにおける皮膚と接触する面に前記粘着層を粘着し、一体的に構成されている。
【０００８】
好適には、前記突起物は、前記一方の面から突出する高さが４ｍｍ以下の粒状であり、１ｃｍ２当たり９個未満の該突起物が配置されている。
【０００９】
好適には、少なくとも表面の一部が滑らかに形成された前記突起物と、布素材で構成された前記シート材とを接着する、ウレタン樹脂を主成分とする接着剤をさらに有し、前記接着剤は、前記突起物の投影面積の１／２以上の領域に、該接着剤が塗布されており、前記突起物は、前記接着剤により前記シート材に接着されている。
【００１０】
また、本発明に係るサポーターは、伸縮性のある糸を用いて袋状に形成された、足を覆うサポーター本体と、前記サポーター本体における皮膚と接触する面に取り付けられ、互いに離間する位置に接着された複数の突起物とを有し、前記サポーター本体は、伸縮力により、血流やリンパの流れを促進させる程度の圧力で、使用者の足に前記突起物を押圧する。
【００１１】
また、本発明に係るサポーターは、前記突起物のある位置において、着圧値が１０ｈｐａ未満となる圧力となるよう袋状に形成された、足を覆うサポーター本体と、前記サポーター本体における皮膚と接触する面に取り付けられ、互いに離間する位置に接着された複数の突起物とを有する。
【００１２】
好適には、前記突起物の接着位置は、少なくとも使用者の足底の一部と接触する位置に接着されている。
【００１３】
好適には、前記サポーター本体は、足先からふくらはぎまでを覆う袋状であり、前記突起物の接着位置は、使用者の足首の一部、及び、ふくらはぎの一部と接触する位置に接着されている。
【００１４】
好適には、前記サポーターには、就寝時に足に装着するサポーターと、日常時に足に装着するサポーターとが含まれ、前記突起物は、就寝時に足に装着するサポーターにおける当該突起物の大きさより、日常時に足に装着するサポーターにおける当該突起物の大きさの方が大きい。
【発明の効果】
【００１５】
本発明によれば、既存のサポーターの貼り付け位置および鎮痛シートの大きさを適宜調節できる。
【図面の簡単な説明】
【００１６】
【図１】実施例におけるサポーター１を例示する斜視図である。
【図２】図１におけるサポーター１の拡大断面図（Ａ）及び部分拡大図（Ｂ）を例示する図である。
【図３】実施例における鎮痛シート２０の製造工程（Ｓ１０）を説明するフローチャートである。
【図４】実施例における取り付け工程（Ｓ２０）を説明するフローチャートである。
【図５】実施例における取り付け工程（Ｓ２０）を説明する図である。
【図６】変形例のサポーター１００Ａ（就寝用サポーター）を説明する図である。
【図７】変形例のサポーター１００Ｂ（日常用サポーター）を説明する図である。
【図８】変形例のサポーター１００Ｃ（日常用サポーター）を説明する図である。
【図９】変形例のサポーター１００の製造工程（Ｓ３０）を説明するフローチャートである。
【発明を実施するための形態】
【００１７】
本実施例におけるサポーター１の概要を説明する。
以下、本発明の実施形態の構成を、図面を参照して説明する。ただし、本発明の範囲は、図示例に限定されるものではない。
図１は、実施例におけるサポーター１を例示する斜視図である。図１（Ａ）は、サポーター１を装着した状態を例示する斜視図であり、図１（Ｂ）は、サポーター１を例示する斜視図である。
図１（Ａ）に例示するように、サポーター１は、例えば、膝、肘、手首、足首、すね、ふくらはぎ、腰等の様々な部位を保護するための装着具である。本実施例のサポーター１は、例えば手首用のバンド型サポーターである。装着者は、手首に巻き付けて着脱自在に固定し使用する。サポーター１は、図１（Ｂ）に例示するように、サポーター本体１０と鎮痛シート２０とにより構成されている。サポーター１は、サポーター本体１０の内側である皮膚と接触する面に鎮痛シート２０を取り付けられている。
なお、サポーター１は、本例に示すバンド型だけでなく、例えば、タイツ型、手袋型、靴下型、コンプレッションウエア等も含む概念である。
【００１８】
［サポーター本体１０］
サポーター本体１０は、例えば、伸縮性の少ない素材を織り込んだ布製の装着具である。なお、サポーター本体１０は、伸縮性の比較的少ないものが望ましい。このサポーター本体１０は、例えば、タイツ、手袋、靴下、コンプレッションウエア等も含む概念である。サポーター本体１０は、例えば、膝、肘、手首、足首、すね、ふくらはぎ、腰等の様々な部位を保護するための装着具である。サポーター本体１０は、既存の製品で代用することができ、取り付ける部位に合わせて形状や大きさも様々である。なお、本実施例のサポーター本体１０は、例えば手首用であるバンド型の既存の製品である。サポーター本体１０は、例えば、長方形状であり、手首に巻くことのできる長さに構成されている。また、サポーター本体１０の長手方向の両端には、サポーター本体１０の短手方向に配置された面ファスナー１２を設けられている。サポーター本体１０は、両端に設けられた面ファスナー１２を互いに接触させることにより結束させ、環状にすることができる。また、サポーター本体１０は、結合した面ファスナー１２を相対的に引き剥すことにより、結合を解くことができる。このようにサポーター本体１０は、面ファスナー１２を互いに接触させる、又は、引き剥すことにより、着脱自在とすることができる。
【００１９】
［鎮痛シート２０］
図１（Ｂ）に例示するように、鎮痛シート２０は、サポーター本体１０における皮膚と接触する面に配置されている。鎮痛シート２０は、皮膚と接触する面の大きさや形状に合わせてカットし、サポーター本体１０に貼り付けられている。
鎮痛シート２０は、基材シート２２、ガラスビーズ２４、接着剤２５、及び、粘着層２６を含み構成されている。
【００２０】
図２は、図１におけるサポーター１の拡大断面図（Ａ）及び部分拡大図（Ｂ）を例示する図である。図２（Ａ）は、図１におけるサポーター１のＺ−Ｚ線部分拡大断面図であり、図２（Ｂ）は、図１におけるサポーター１のＡ部拡大図である。
（基材シート２２）
図２（Ａ）に例示するように、基材シート２２は、サポーター本体１０の皮膚と接触する面に取り付けられている。基材シート２２は、布素材で構成された、伸縮性シート材である。本実施例の基材シート２２は、一方の面に粘着層２６を備えたキネシオテープ又はキネシオロジーテープである。基材シート２２は、伸縮性を備えているため、サポーター本体１０の形状変形に追従して伸縮することができる。
また、基材シート２２は、粘着層２６を備えた面の裏面側にガラスビーズ２４を配置されている。なお、基材シート２２は、本発明に係るシート材の一例である。
【００２１】
（ガラスビーズ２４）
図２（Ａ）に例示するように、ガラスビーズ２４は、後述する接着剤２５により、基材シート２２の粘着層２６を備える面とは裏面側に接着されている。具体的には、ガラスビーズ２４は、ガラスビーズ２４の表面に接着剤２５が覆いかからないように接着されており、ガラスビーズ２４の一部のみの接着（点接着）により基材シート２２に接着している。ガラスビーズ２４は、基材シート２２に点接着することにより、基材シート２２全体の伸縮性を妨げないよう配置することができる。
また、ガラスビーズ２４は、接着された基材シート２２の表面から突出して接着されている。具体的には、ガラスビーズ２４は、基材シート２２の表面から例えば、４ｍｍ以下の高さで基材シート２２の表面から突出している。なお、本実施例のガラスビーズ２４は、１ｍｍ以上２ｍｍ以下の高さで、基材シート２２の表面から突出している。
ガラスビーズ２４は、鎮痛シート２０を患部に接触させた場合に、表面から突出する高さが４ｍｍ以上だと、末梢神経や経穴を圧迫する強度が過大になりかえって痛みが強くなるおそれがあり、一方、表面から突出する高さが１ｍｍ以下だと、圧迫する強度が過小になり所定の鎮痛効果が得られなくなってしまうおそれがある。そのため、ガラスビーズ２４は、ビーズ体の粒径を考慮したうえで、鎮痛効果の得られる突出量とすることが望ましい。
【００２２】
次に、ガラスビーズ２４の構成を説明する。
ガラスビーズ２４は、例えば、粒状に成形されたビーズ体である。ここで粒状とは、球状と俵状とを含む概念である。なお、本実施例のガラスビーズ２４は、球状である。また、球状であるガラスビーズ２４の直径は、４ｍｍ以下の大きさに形成されている。具体的には、ガラスビーズ２４の直径は、１．０ｍｍ以上２．０ｍｍ以下であり、本実施例のガラスビーズ２４の直径は、１．５ｍｍである。
また、ガラスビーズ２４の表面形状は、滑らかな表面に形成され尖っていない。そのため、患部に損傷を与えることがなく、均一な圧迫が実現できる。また、ガラスビーズ２４の硬度は、例えば皮膚の末梢神経や経穴等を圧迫することができる程度の硬度を有するものが好ましい。
なお、本実施例のガラスビーズ２４は、本発明に係る突起物の一例である。本実施例のガラスビーズ２４は、ガラスにより構成されたビーズ体であるが、ガラスのみに限定するものではなく、合成樹脂、又は、金属により構成されてもよい。ビーズ体として、例えば合成樹脂により構成される場合、セラミック粒、硬質ゴム粒である。また、ビーズ体は、例えば金属により構成される場合、アルミナ粒である。また、磁気機能を備えるよう構成してもよい。
【００２３】
次に、ガラスビーズ２４の配列を説明する。
図２（Ｂ）に例示するように、基材シート２２に設けられた複数のガラスビーズ２４は、互いに離間して配置されている。ガラスビーズ２４の接着位置は、例えば、正三角格子状、又は、正方格子状に配列されている。なお、本実施例のガラスビーズ２４の接着位置は、正三角格子状に配列されている。
ガラスビーズ２４は、互いに（例えばガラスビーズ２４の中心から他のガラスビーズ２４の中心までの離間距離Ｄ寸法が）６ｍｍ以下の間隔となる位置に接着されている。具体的には、ガラスビーズ２４は、互いに４ｍｍ以上６ｍｍ以下間隔をあけて接着されている。なお、本実施例のガラスビーズ２４は、互いに５ｍｍの間隔をあけて接着されている。また、ガラスビーズ２４は、基材シート２２に１ｃｍ２当たり９個未満となるよう配置され、本実施例のガラスビーズ２４は、１ｃｍ２当たり４個以上９個未満となるよう配置されている。
なお、本実施例のガラスビーズ２４は、本発明に係る突起物の一例である。
【００２４】
（接着剤２５）
図２（Ａ）に例示するように、接着剤２５は、基材シート２２のガラスビーズ２４を接着する接着位置に配置され、ガラスビーズ２４と基材シート２２とを接着する接着剤である。
接着剤２５は、ガラスビーズ２４の投影面積の１／２以上の領域に塗布されている。具体的には、接着剤２５は、ガラスビーズ２４の投影面積と同じ領域、若しくは、それより小さい投影面積で塗布されている。本実施例の接着剤２５は、粒状のガラスビーズ２４と同様の形状に基材シート２２に塗布されており、例えば、ガラスビーズ２４の直径と略同じ大きさである。具体的には、接着剤２５は、ガラスビーズ２４の直径が１．０ｍｍ以上２．０ｍｍ以下である場合、接着剤２５の塗布された直径が１．０ｍｍ以上-２．０ｍｍ以下の大きさで塗布される。接着剤２５は、塗布する範囲が広い場合（ガラスビーズ２４の投影面積を超える場合）、必要以上の接着剤２５を使用することになるので、コストパフォーマンスが悪くなる。逆に、塗布する範囲が狭い場合（ガラスビーズ２４の投影面積の１／２以下である場合）、接着剤２５の使用量が少なくなるが、ガラスビーズ２４の接着強度が弱くなり、接着位置がずれるおそれがある。そのため、接着剤２５は、接着するガラスビーズ２４の大きさに合わせて、塗布量を適宜に変更することが望ましい。
また、接着剤２５は、基材シート２２に塗布された厚みが１ｍｍ以下となるよう塗布されている。本実施例の接着剤２５は、０．０５ｍｍ〜０．５ｍｍの範囲の厚みで塗布される。これらより、接着剤２５は、ガラスビーズ２４の一部のみの接着（点接着）とすることにより、シート全体の伸縮性を妨げない。一方で、接着位置近傍におけるシートの伸縮性を抑制することにより、ガラスビーズ２４の脱落を防止することができる。
【００２５】
この基材シート２２に塗布される接着剤２５は、例えば、合成樹脂により構成されている。具体的には、接着剤２５は、エポキシ系、エチレン系、アクリル系、シリコン系、ウレタン系等により構成されている。なお、本実施例での接着剤２５は、これらの系統のうち、より好ましいウレタン樹脂を主成分とする接着剤である。接着剤２５は、弾力性のある接着強度に優れたウレタン樹脂の接着剤を用いることにより、基材シート２２の伸縮性に耐える強度であり、かつ、滑らかな表面に形成されたガラスビーズ２４を基材シート２２に接着することができる。接着剤２５は、基材シート２２に比べて伸縮しにくいため、基材シート２２が伸縮しても接着されたガラスビーズ２４近傍の布地の伸縮を防止することができる。
また、接着剤２５は、ウレタン樹脂を主成分とする接着剤のうち反応系のものを選択することにより、耐水性を得られることが期待できる。
なお、接着剤２５は、本発明に係る接着剤の一例である。
【００２６】
（粘着層２６）
図２（Ａ）に例示するように、粘着層２６は、基材シート２２のうち、ガラスビーズ２４を配列された面とは裏面側に設けられている。粘着層２６は、例えば、基材シート２２の周縁に設けられてもよいし、基材シート２２の全面に設けられてもよい。本実施例の粘着層２６は、基材シート２２の全面に設けられている。また、粘着層２６の粘着力は、例えば、サポーター本体１０に貼り付けた状態でサポーター本体１０を伸縮しても剥がれない程度の粘着力である。粘着層２６は、粘着性を維持できる限り、貼ったり剥がしたりを繰り返し行うことができる。
このように、鎮痛シート２０は、基材シート２２、ガラスビーズ２４、接着剤２５、及び、粘着層２６を含み構成されている。
【００２７】
次に、本実施形態における鎮痛シート２０の製造方法を説明する。
図３は、実施例における鎮痛シート２０の製造工程（Ｓ１０）を説明するフローチャートである。
図３に例示するように、ステップ１００（Ｓ１００）において、作業者は、粘着層２６を備える基材シート２２に接着剤２５を塗布する。作業者は、基材シート２２の粘着層２６を備える面とは裏面側において、接着剤２５を正三角格子状となる位置に点状に塗布する。なお、接着剤２５を塗布する大きさは、直径が１．０ｍｍ以上２．０ｍｍ以下の大きさであり、厚みが０．０５ｍｍ〜０．５ｍｍの厚みである。これにより、作業者は、ガラスビーズ２４の一部のみを基材シート２２に接着（点接着）することができる。
また、基材シート２２は、粘着層２６に剥離紙を備えている。剥離紙は、粘着層２６に埃やごみ等が付着しないように粘着層２６を保護し、粘着層２６の粘着性能を維持できるよう配置されている。剥離紙は、鎮痛シート２０をサポーター本体１０に貼り付けるときに、粘着層２６から取り外される。
【００２８】
ステップ１０２（Ｓ１０２）において、作業者は、基材シート２２の接着剤２５を塗布された位置にガラスビーズ２４を接着する。作業者は、接着剤２５を塗布した位置に、例えばピンセット等にてガラスビーズ２４を配列して基材シート２２に接着する（鎮痛シート２０の作成）。
このように、作業者は、鎮痛シート２０を作成する。なお、本実施例では、作業者による手作業による製造方法を具体例として説明したが、例えば、接着剤２５を塗布する工程（Ｓ１００）、及び、ガラスビーズ２４を接着する工程（Ｓ１０２）を機械で行ってもよい。
【００２９】
次に、本実施形態における鎮痛シート２０をサポーター本体１０に取り付け方法を説明する。
図４は、実施例における取り付け工程（Ｓ２０）を説明するフローチャートである。また、図５は、実施例における取り付け工程（Ｓ２０）を説明する図である。
【００３０】
ステップ２００（Ｓ２００）おいて、使用者は、サポーター本体１０に取り付ける鎮痛シート２０の大きさを任意に決定する。具体的には、使用者は、患部に鎮痛シート２０を一時的に配置し患部に当たるような大きさに決定する。なお、使用者は、鎮痛シート２０の大きさにおいて、サポーター本体１０の内側からはみ出ないような大きさにすることが好ましい。
【００３１】
ステップ２０２（Ｓ２０２）おいて、使用者は、図５（Ａ）に例示するように、患部に当てる大きさに合わせて、例えばはさみを用いて鎮痛シート２０を切断（カット）する。使用者は、剥離紙を備えた状態の鎮痛シート２０をカットすることにより、はさみに粘着することなく切断できる。なお、鎮痛シート２０をカットする必要がない場合はこの工程を省くことができる。
【００３２】
ステップ２０４（Ｓ２０４）おいて、使用者は、図５（Ｂ）に例示するように、切断した鎮痛シート２０をサポーター本体１０の内側に一時的に配置し、粘着取り付けする位置を確認する。具体的には、使用者は、サポーター１を装着した場合に、患部に鎮痛シート２０が接触するよう、鎮痛シート２０の取り付ける位置を確認する。
【００３３】
ステップ２０６（Ｓ２０６）おいて、使用者は、図５（Ｃ）に例示するように、カットした鎮痛シート２０から剥離紙を取り外し、図５（Ｄ）に例示するように、鎮痛シート２０の粘着面２６をサポーター本体１０の内側に貼り付ける（サポーター１の作成）。作成されたサポーター１は、サポーター本体１０の内側において、鎮痛シート２０に接着されたガラスビーズ２４が突出した状態となっている（図１（Ｂ））。
【００３４】
ステップ２０８（Ｓ２０８）おいて、使用者は、患部にサポーター本体１０の内側に貼り付けた鎮痛シート２０が当たるよう、サポーター１を装着する（図１（Ａ））。
このように、使用者は、任意の位置に任意の大きさの鎮痛シート２０をサポーター本体１０に取り付けサポーター１を作成することができる。
【００３５】
以上説明したように、本実施例におけるサポーター１は、適宜に大きさを調節した鎮痛シート２０を、サポーター本体１０の皮膚と接触する面に貼り付けて構成する。これにより、使用者は、どのような部位に装着するサポーターであっても、圧迫したい任意の位置に鎮痛シート２０を貼り付けてサポーター１を作成し使用することができる。
以上、本発明に係る実施形態について説明したが、これらに限定されるものではなく、発明の趣旨を逸脱しない範囲内において、種々の変更、追加等が可能である。
【００３６】
次に、変形例を説明する。なお、変形例では、上記実施例と実質的に同一の機能、構成を有する要素については、同一の符号を付することにより重複説明を省略する。
［変形例］
図６は、実施例における変形例のサポーター１００Ａ（就寝用サポーター）を説明する図であり、図６（Ａ）は側面図であり、図６（Ｂ）は背面図である。
また、図７は、実施例における変形例のサポーター１００Ｂ（日常用サポーター）を説明する図であり、図７（Ａ）は側面図であり、図７（Ｂ）は側面図である。
また、図８は、実施例における変形例のサポーター１００Ｃ（日常用サポーター）を説明する図であり、図８（Ａ）は側面図であり、図８（Ｂ）は側面図である。
【００３７】
サポーター１００は、例えば、膝、肘、手首、脚（足首、すね、ふくらはぎ等）、腰等の様々な部位を保護するための装着具であり、本変形例のサポーター１００は、例えば脚に装着するレッグウエア型サポーターである。なお、レッグウエア型とは、ストッキング、タイツ、靴下等を含む概念である。また、本変形例のサポーター１００は、レッグウエア型のうち靴下形状のものである。靴下形状のサポーター１００には、丈の長さによって複数の種類があり、本変形例のサポーター１００は、図６に例示する膝下丈の靴下（ハイソックス）、図７に例示するくるぶし丈の靴下（アンクレット）、及び、図８に例示する足部のみの靴下（フットカバー）を具体例として説明する。
【００３８】
図６、図７及び図８に例示するように、サポーター１００は、サポーター本体１０と、ガラスビーズ２４とを有し、本変形例のサポーター１００は、サポーター本体１０と、ガラスビーズ２４とにより構成されている。
サポーター本体１０は、膝、肘、手首、脚（足首、すね、ふくらはぎ等）、腰等の様々な部位を保護するための装着具本体であり、本例のサポーター本体１０は、脚に装着するレッグウエア型の靴下形状のものである。また、本例のサポーター本体１０は、足先からふくらはぎまでを覆う袋状のもの（ハイソックス型）と、足先から足首までを覆う袋状のもの（アンクレット型）と、足部のみを覆う袋状のもの（フットカバー型）である。サポーター本体１０は、靴下形状のものであるため、足を覆う袋状に形成されている。サポーター本体１０は、伸縮性のある素材により形成された糸を織り込んだ布製の装着具本体であるため、装着した脚に対してフィットする。なお、サポーター本体１０は、既存の製品を利用することができる。
また、サポーター本体１０は、サポーター本体１０の皮膚と接触する面に複数のガラスビーズ２４が接着されている。サポーター本体１０は、ガラスビーズ２４が接着された位置において、伸縮力により、血流やリンパの流れを促進させる程度の圧力で、使用者の足にガラスビーズ２４を押圧する着圧力を有する。サポーター本体１０の着圧力は、ガラスビーズ２４のある位置において、着圧値が１０ｈｐａ未満となる圧力であり、具体的には、２ｈｐａ以上５ｈｐａ以下となる圧力である。ここで、血流やリンパの流れを促進させる程度の圧力とは、言い換えると、ガラスビーズ２４の圧や刺激が皮膚に伝わる程度のやさしい圧力である。特に、例えばリンパマッサージを行う圧力においては、リンパ管は皮膚の表面に分布しているため、皮膚の表面を撫でる、又は、擦る程度の圧力で十分である。また、サポーター本体１０は、脱ぎ履きを容易に行うことができる程度の圧力である。
【００３９】
ガラスビーズ２４は、サポーター本体１０における皮膚と接触する面に取り付けられた突起物である。ガラスビーズ２４は、サポーター本体１０の内側に直接接着してもよいし、伸縮性シート材（例えば上記実施例の基材シート２２）に接着したものをサポーター本体１０の内側に貼り付けてもよい。なお、本例のガラスビーズ２４は、サポーター本体１０の内側に直接接着している。
ガラスビーズ２４は、例えば、粒状に成形されたビーズ体である。ここで粒状とは、球状と俵状とを含む概念である。なお、本例のガラスビーズ２４は、球状である。また、球状であるガラスビーズ２４の直径は、４ｍｍ以下の大きさに形成されている。具体的には、ガラスビーズ２４の直径は、１．０ｍｍ以上２．０ｍｍ以下であり、本例のガラスビーズ２４の直径は、１．２ｍｍと１．５ｍｍとの２種類である。ガラスビーズ２４は、サポーター本体１０の接着する部位に応じて、ガラスビーズのサイズを変更してもよし、装着する時間帯に応じたサポーター毎にガラスビーズのサイズを変更してもよい。なお、本例のガラスビーズ２４は、装着する時間帯に応じたサポーター毎にガラスビーズのサイズを変更している。
また、ガラスビーズ２４の接着配列は、互いに離間する位置に複数接着され、具体的には、上記実施形態にて説明したガラスビーズ２４と同様の配列で接着されている。
また、ガラスビーズ２４の接着位置は、サポーター本体１０における皮膚と接触する面のうち、少なくとも、サポーター１００を装着した使用者の足底と接触する位置に接着されている。なお、本例のガラスビーズ２４の接着位置は、使用者の足底のみと接触する位置のものと、使用者の足底に加えて、足首の一部、及び、ふくらはぎの一部と接触する位置のものとの２種類である。
【００４０】
また、ガラスビーズ２４の表面形状は、滑らかな表面に形成され尖っていない。そのため、患部に損傷を与えることがなく、均一な押圧が実現できる。また、ガラスビーズ２４の硬度は、例えば皮膚の末梢神経や経穴等を押圧することができる程度の硬度を有するものが好ましい。
なお、本例のガラスビーズ２４は、本発明に係る突起物の一例である。本例のガラスビーズ２４は、ガラスにより構成されたビーズ体であるが、ガラスのみに限定するものではなく、合成樹脂、又は、金属により構成されてもよい。ビーズ体として、例えば合成樹脂により構成される場合、セラミック粒、硬質ゴム粒である。また、ビーズ体は、例えば金属により構成される場合、アルミナ粒である。また、磁気機能を備えるよう構成してもよい。
このように、本変形例のサポーター１００は、サポーター本体１０と、ガラスビーズ２４とにより構成されている。
【００４１】
図６、図７及び図８に例示するように、本例のサポーター１００は、就寝時に足に装着するサポーター（１００Ａ）と、日常時に足に装着するサポーター（１００Ｂ、１００Ｃ）とが含まれる。なお、日常時とは、就寝時を除く時間帯を意味する。
図６に例示するように、サポーター本体１０の形状が膝下丈の靴下形状（ハイソックス）であるサポーター１００Ａは、就寝時に足に装着するサポーターである。
サポーター本体１０の皮膚と接触する面には、ガラスビーズ２４が接着されている。接着されたガラスビーズ２４の大きさは、直径１．２ｍｍであり、後述する日常時に足に装着するサポーターのガラスビーズ２４の大きさに比べて小さい。
また、ガラスビーズ２４が接着された位置は、使用者の足底の一部、足首の一部、及び、ふくらはぎの一部と接触する位置である。使用者の足底と接触する位置に接着されたガラスビーズ２４は、足底のうち、足指と踵とを除いた領域に接着されている。なお、ガラスビーズ２４は、足指のみを除いた領域に接着してもよい。
また、使用者の足首と接触する位置に接着されたガラスビーズ２４は、足首の周方向に接着されている。ガラスビーズ２４は、例えば、足首のくるぶし上方において、足首を巻くように周囲に接着してもよいし、足首の踵側のくるぶし上方において、内くるぶしから外くるぶしまでの範囲に接着してもよい。なお、本例のガラスビーズ２４は、足首の踵側のくるぶし上方において、内くるぶしから外くるぶしまでの範囲に接着されている。
また、使用者のふくらはぎと接触する位置に接着されたガラスビーズ２４は、ふくらはぎの踵側の領域に接着されている。
サポーター１００Ａは、使用者の足底の一部、足首の一部、及び、ふくらはぎの一部と接触する位置にガラスビーズ２４を接着することにより、就寝時における使用者の足底、足首、及び、ふくらはぎを刺激することができる。
【００４２】
また、図７に例示するサポーター本体１０の形状がくるぶし丈の靴下形状（アンクレット）であるサポーター１００Ｂ、及び、図８に例示する足部のみの靴下形状（フットカバー）であるサポーター１００Ｃは、日常時に足に装着するサポーターである。サポーター本体１０の皮膚と接触する面には、ガラスビーズ２４が接着されている。接着されたガラスビーズ２４の大きさは、直径１．５ｍｍであり、就寝時に足に装着するサポーターのガラスビーズ２４の大きさに比べて大きい。
また、ガラスビーズ２４が接着された位置は、使用者の足底の一部のみと接触する位置である。使用者の足底と接触する位置に接着されたガラスビーズ２４は、サポーター１００Ａの場合と同様に、足底のうち、足指と踵とを除いた領域に接着されている。なお、ガラスビーズ２４は、足指のみを除いた領域に接着してもよい。
サポーター１００Ｂおよびサポーター１００Ｃは、使用者の足底の一部と接触する位置にガラスビーズ２４を接着することにより、日中の活動時における使用者の足底を刺激することができる。
このように、本例のサポーター１００は、就寝時に装着するサポーターと日常時に装着するサポーターとの形状、及び、ガラスビーズ２４の大きさを変えて構成されている。
【００４３】
図９は、実施例における変形例のサポーター１００の製造工程（Ｓ３０）を説明するフローチャートである。
図９に例示するように、ステップ３００（Ｓ３００）において、作業者は、サポーター本体１０を裏返す。作業者は、サポーター本体１０を裏返すことにより、サポーター本体１０における使用者の足と接触する面を露出させる。
【００４４】
ステップ３０２（Ｓ３０２）において、作業者は、使用者の足と接触する面を露出させたサポーター本体１０の表面に、接着剤２５を塗布する。作業者は、接着剤２５を正三角格子状となる位置に点状に塗布する。なお、接着剤２５を塗布する大きさは、直径が１．０ｍｍ以上２．０ｍｍ以下の大きさであり、厚みが０．０５ｍｍ〜０．５ｍｍの厚みである。これにより、作業者は、ガラスビーズ２４の一部のみを基材シート２２に接着（点接着）することができる。
【００４５】
ステップ３０４（Ｓ３０４）において、作業者は、接着剤２５を塗布した位置にガラスビーズ２４を接着する。作業者は、例えばピンセット等にてガラスビーズ２４を配列してサポーター本体１０に接着する。
【００４６】
ステップ３０６（Ｓ３０６）において、作業者は、ガラスビーズ２４を接着したサポーター本体１０を表返す。
このように、作業者は、サポーター１００を作成する。なお、本例では、作業者による手作業による製造方法を具体例として説明したが、例えば、接着剤２５を塗布する工程（Ｓ３０２）、及び、ガラスビーズ２４を接着する工程（Ｓ３０４）を機械で行ってもよい。
【００４７】
以上説明したように、本変形例におけるサポーター１００は、既存の弾性ストッキングよりも過度の締付け力（着圧力）が無い、皮膚の表面を撫でる、又は、擦る程度の圧力でユーザの皮膚に複数のガラスビーズ２４を押圧することにより、血流やリンパの流れを促進させるマッサージ効果を得ることができる。
これにより、サポーター１００は、着用中（例えば就寝中や歩行中）であってもサポーター本体１０の締付けによる圧迫感や、締付けによるガラスビーズ２４の圧迫による刺激を感じることなく、快適な履き心地を味わうことが期待でき、加えて血行促進、やむくみの改善・予防、足の疲労感の軽減やむくみの予防ができる。
また、サポーター１００は、サポーター本体１０の締付け力を変えるのではなく、就寝時に足に装着するサポーター１００Ａと、日常時に足に装着するサポーター１００Ｂ及び１００Ｃとにおけるガラスビーズ２４の位置を変えることにより、ユーザの活動状態に合わせて脚を押圧する位置を変えることできる。これにより、例えば就寝時に適した刺激範囲（例えば足底、足首、ふくらはぎ）と、日常時に適した刺激範囲（例えば足底のみ）とを使い分けることができる。さらに、就寝時に足に装着するサポーター１００Ａと、日常時に足に装着するサポーター１００Ｂ及び１００Ｃとのガラスビーズ２４の大きさと変えることにより、ユーザの活動状態に合わせたガラスビーズ２４による刺激の強弱を実現することも期待できる。
また、サポーター１００は、既存の弾性ストッキングのような過度の締付け力が無いため、ユーザはサポーター１００の脱ぎ履きを容易に行うことができる。
【符号の説明】
【００４８】
１        サポーター
１０      サポーター本体
１２      面ファスナー
２０      鎮痛シート
２２      基材シート
２４      ガラスビーズ
２５      接着剤
２６      粘着層
【図１】
2018086259.tif 000003
【図２】
2018086259.tif 000004
【図３】
2018086259.tif 000005
【図４】
2018086259.tif 000006
【図５】
2018086259.tif 000007
【図６】
2018086259.tif 000008
【図７】
2018086259.tif 000009
【図８】
2018086259.tif 000010
【図９】
2018086259.tif 000011